(57)【要約】  【課題】  実用性が高く、持ち運びの不便さや紛失等の懸念を解消し、医療従事者の業務負担を軽減する。  【解決手段】  院内ネットワーク１０６に接続され医療情報を送受信する複数の医療情報操作端末１０１と、院内ネットワーク１０６に接続され医療情報操作端末１０１との前記医療情報の送受信を制御する医療情報サーバ１０７と、を備え、医療情報操作端末１０１の操作者の認証する認証手段は、操作者の指輪１０４に収容され操作者の認証情報を送信する極小非接触タグ装置１０５と、該送信された認証情報を受信する非接触タグ読取装置１０２と、該受信された認証情報に基づき医療情報操作端末１０１のログイン、ログアウトを制御する医療情報サーバ１０７と、を備える。【選択図】      図１
2005250609.tif 000002
【特許請求の範囲】
【請求項１】
ネットワークに接続され医療情報を送受信する複数の医療情報端末と、前記ネットワークに接続され前記複数の医療情報端末とあるいは前記複数の医療情報端末間での前記医療情報の送受信を制御する医療情報サーバと、前記複数の医療情報端末又は前記医療情報サーバの操作者の認証する認証手段と、を備えた医療情報送受信システムにおいて、前記認証手段は、前記操作者の装身具に収容され前記操作者の認証情報を送信する非接触タグ手段と、この非接触タグ手段によって送信された認証情報を受信する受信手段と、この受信手段によって受信された認証情報に基づき前記複数の医療情報端末又は前記医療情報サーバのログイン、ログアウトを制御する制御手段と、を備えたことを特徴とする医療情報送受信システム。
【請求項２】
前記制御手段は、前記複数の医療情報端末をログアウトする際に、作業中のプログラムが存在する場合、前記医療情報サーバに前記作業中のプログラムを待避する手段と、この退避手段に退避された前記作業中のプログラムを再度ログインしたときに復元する手段とを備えたことを特徴とする請求項１の医療情報送受信システム。
【発明の詳細な説明】
【技術分野】
【０００１】
本発明は、サーバで管理される医療情報を端末で利用可能な医療情報送受信システムに係り、特にサーバや端末の認証を簡便に行える技術に関するものである。
【背景技術】
【０００２】
1999年の厚生省（現在の厚生労働省）通達以来、医療情報の電子化が進んでいる。医師の診療行為を記述する診療録(カルテ)や、画像診断医(読影医)が画像所見をまとめた読影レポートや、看護記録、診療報酬（レセプト）などの電子化である。医療情報の電子化により、医療従事者が本来なすべき医療行為にかけられる時間が長くなり、医療の質の向上を促せる。
【０００３】
医療従事者は、医療行為を行うために、医療情報操作端末を用いて、参照したい患者の医療情報を操作する。医療情報を操作するためには、端末にログインし、医療情報を操作するプログラムを起動し、患者の医療情報を操作する。医療情報操作端末にログインするための認証には、特許文献1の指紋などの生体情報や特許文献2のICカード、特許文献３の携帯型通信端末装置などから認証情報を取得する方法がある。
【特許文献１】特開2003-263506号公報
【特許文献２】特開2003-187194号公報
【特許文献３】特開2002-366665号公報
【発明の開示】
【発明が解決しようとする課題】
【０００４】
しかしながら、特許文献1の指紋などの生体情報による認証は、パソコンシステムに付随させるには高価なセンサであり、実用的でないという問題があった。
また、特許文献2のICカードによる認証、特許文献3の携帯型通信端末装置による認証は、持ち歩かなければならない不便さと、紛失や本人になりすますなどの不正使用の可能性という懸念がある。
【０００５】
本発明の目的は、実用性が高く、持ち運びの不便さや紛失等の懸念を解消し、医療従事者の業務負担を軽減できる医療情報送受信システムを提供することにある。
【課題を解決するための手段】
【０００６】
上記目的を達成するために、本発明の医療情報送受信システムは、ネットワークに接続され医療情報を送受信する複数の医療情報端末と、前記ネットワークに接続され前記複数の医療情報端末とあるいは前記複数の医療情報端末間での前記医療情報の送受信を制御する医療情報サーバと、前記複数の医療情報端末又は前記医療情報サーバの操作者の認証する認証手段と、を備えた医療情報送受信システムにおいて、前記認証手段は、前記操作者の装身具に収容され前記操作者の認証情報を送信する非接触タグ手段と、この非接触タグ手段によって送信された認証情報を受信する受信手段と、この受信手段によって受信された認証情報に基づき前記複数の医療情報端末又は前記医療情報サーバのログイン、ログアウトを制御する制御手段と、を備えたことを特徴とするものである。
【０００７】
また、前記制御手段は、前記複数の医療情報端末をログアウトする際に、作業中のプログラムが存在する場合、前記医療情報サーバに前記作業中のプログラムを待避する手段と、この退避手段に退避された前記作業中のプログラムを再度ログインしたときに復元する手段とを備えたことを特徴とするものである。
【発明の効果】
【０００８】
本発明によれば、実用性が高く、持ち運びの不便さや紛失等の懸念を解消し、医療従事者の業務負担を軽減できる。
【発明を実施するための最良の形態】
【０００９】
［医療情報送受信システムの構成］
図1は医療情報送受信システムの構成を示す。医療情報送受信システムは、医療従事者が医療情報を操作するために使用する医療情報操作端末101に、マウス103を置く位置に非接触タグ読取装置102を配置する。医療従事者は、極小非接触タグ装置105を収容した指輪104を装着する。医療情報操作端末101は、院内ネットワーク106に接続し、医療情報サーバ107にアクセスする。医療情報サーバ107は、作業中のユーザとその作業状態を記憶する作業中ユーザ管理テーブル108と、ユーザの認証情報を記憶する認証テーブル109と、作業中のユーザが使用していたプログラムに関する情報を記憶する待避管理テーブル110を有する。
【００１０】
［医療情報端末とサーバの内部構成］
図2に極小非接触タグ装置と非接触タグ読取装置と医療情報端末と医療情報サーバの関係とその内部構成を示す。医療従事者が装着する指輪に内蔵した極小非接触タグ105は、ログイン認証情報を記憶するログイン認証情報記憶メモリ201と非接触タグ読取装置102と通信するための発信部202から構成する。非接触タグ読取装置102は、極小非接触タグ装置105からログイン認証情報を読み取る受信部204と、自身の端末識別情報を記憶する端末識別情報記憶メモリ203と、医療情報操作端末101に認証識別情報を出力する認証識別情報出力部205から構成する。医療情報操作端末101は、医療情報操作端末の基本的動作を制御するプログラムと、医療情報を操作するプログラムを記憶する記憶装置部211と、医療情報を操作するキーボード、マウスなどの入力装置部208と、医療情報を表示する出力部210と、院内ネットワーク106との通信を行う通信制御部209と、医療情報操作端末全体を制御するCPU207と、非接触タグ読取装置102から送信される認証識別情報を入力する認証識別情報入力部206から構成する。医療情報サーバ107は、医療情報操作端末の基本的動作を制御するプログラムと医療情報を操作するプログラムと作業中ユーザ管理テーブル108と認証テーブル109と待避管理テーブル110を記憶する記憶装置部216と、医療情報サーバ107を操作するキーボード、マウスなどの入力装置部213と、医療情報サーバの状態を表示する出力部215と、院内ネットワーク106との通信を行う通信制御部212と、医療情報サーバ全体を制御するCPU214から構成する。
【００１１】
［医療情報操作端末ログイン処理］
図3に医療情報操作端末における医療従事者のログイン処理を示す。極小非接触タグ装置を内蔵した指輪を装着した医療従事者が、医療情報操作端末のマウスに触ると、非接触タグ読取装置は、極小非接触タグ装置からログイン認証情報を読み取る（301）。非接触タグ読取装置は、定期的に極小非接触タグ装置からログイン認証情報を読み取る。しかし、読み取れない場合、タイムアウト機能によりタイムアウトが発生する。従って、タイムアウトが発生したかどうかを判定する（302）。タイムアウトが発生していない場合、ログイン認証情報が読み取れているので、ログイン認証情報からそのユーザがすでにログインしているかどうかを判定する。すでにログイン中なら再度、極小非接触タグ装置からログイン認証情報を読み取る処理301を行う（303）。ログイン中でないなら、ログイン認証情報とこのログイン認証情報を持つ医療従事者が、作業中にプログラムがあるかどうかを医療情報サーバ107から取得する（304）。医療情報サーバ107から応答により、ログインが認証されたかどうかを判定する（305）。ログイン認証の結果、ログインが許可されない場合、ログイン拒否処理306を行い、再度、極小非接触タグ装置からログイン認証情報を読み取る処理301を行う。ログイン認証の結果、ログインが許可された場合、ログイン処理307を行う。処理304における医療情報サーバ107からの応答で、作業中プログラムの情報を受信しているどうか判定す（308）。作業中プログラムの情報を受信していない場合、再度、極小非接触タグ装置からログイン認証情報を読み取る処理301を行う。作業中プログラムの情報を受信している場合、その情報から作業中のプログラムを復元する処理309を行う。その後、再度、極小非接触タグからログイン認証情報を読み取る処理301を行う。タイムアウトが発生したのかどうかを判定するする処理302において、タイムアウトが発生した場合、現在、ログイン中かどうかを判定する（310）。ログイン中でない場合、再度、極小非接触タグ装置からログイン認証情報を読み取る処理301を行う。ログイン中の場合、作業中のプログラムが存在するかどうか判定する（311）。作業中プログラムが存在しない場合、ログアウト処理313を行い、再度、極小非接触タグ装置からログイン認証情報を読み取る処理301を行う。作業中プログラムが存在する場合、ログアウト処理312を行い、認証情報と作業中プログラム情報を医療情報サーバ107に送信する。再度、極小非接触タグ装置からログイン認証情報を読み取る処理301を行う。
【００１２】
［医療情報サーバログインサービス処理］
図4に医療情報サーバにおけるログインサービス処理を示す。医療情報サーバは、医療情報操作端末からのサービス要求を受信する（401）。受信したサービス要求が認証情報と作業中プログラム情報の取得要求であるかどうか判定する（402）。認証情報と作業中プログラム情報の取得要求でない場合、認証情報と作業中プログラム情報の保存要求かどうか判定する（403）。認証情報と作業中プログラム情報の保存要求でない場合、再度、医療情報操作端末からのサービス要求を受信する処理401を行う。認証情報と作業中プログラム情報の保存要求の場合、作業中ユーザ管理テーブル108と待避管理テーブル110に作業中プログラム情報を登録する（404）。再度、医療情報操作端末からのサービス要求を受信する処理401を行う。受信したサービス要求が認証情報と作業中プログラム情報の取得要求であるかどうか判定する処理402において、認証情報と作業中プログラム情報の取得要求の場合、認証テーブル109を検索する（405）。検索した結果から認証OKかどうか（ログイン許可か不許可か）を判定する（406）。認証OK（ログイン許可）なら作業中ユーザ管理テーブル108と待避管理テーブル110を検索し作業中プログラム情報を取得する。このとき、作業中プログラムが存在しない場合もある（407）。認証判定結果と作業中プログラム情報を医療情報操作端末に送信する（408）。認証判定処理406において、認証NG（ログイン不可）なら認証判定結果と作業中プログラム情報を医療情報操作端末に送信する処理408を行う。しかし、この場合、作業中プログラム情報は空の状態で送信する。
【００１３】
［医療情報端末における非接触タグ装置と非接触タグ読取装置の別構成例］
図5に医療情報端末とサーバにおける極小非接触タグ装置と非接触タグ読取装置の別構成例を示す。医療従事者が医療情報を操作するために使用する医療情報操作端末101において、医療従事者の足を置く場所に、非接触タグ読取装置501を配置し、医療従事者の履物に極小非接触タグ装置503を装着する。また、医療従事者が医療情報を操作するためにひじを置く部分に非接触タグ読取装置502を配置し、医療従事者の衣服のひじの部分に極小非接触タグ装置504を装着する。これにより、医療従事者が意識することなく医療情報操作端末に自動ログイン、ログアウトすることができる。
【００１４】
［医療情報操作端末ログイン画面の一例］
図6に医療情報操作端末のログイン前の画面を示す。キーボードからユーザIDやパスワードを入力できるようにもなっている。極小非接触タグ装置を装着した医療従事者が医療情報操作端末を操作しようとして、非接触タグ読取装置が極小非接触タグ装置から医療従事者のログイン認証情報を読み取ると図7のように、あたかもキーボードからユーザIDやパスワードを入力したようになる。そして、ログインが完了し、医療従事者は必要な情報操作を行うために、各種プログラムを起動して図8のような画面となり、操作者の操作が可能になる。非接触タグ読取装置が極小非接触タグ装置からログイン認証情報を定期的に取得しているが、ログイン認証情報が取得できなくなると、図9のように自動ログアウトを警告する画面を表示する。操作者は、この表示されたときに、キャンセルボタンを押せば、自動ログアウトは行われない。キャンセルボタンが一定の時間が経過しても操作者によって押されない場合、ログアウト処理を行い図6のようにログインのための画面を表示する。また、図6のログイン前画面で非接触タグ読取装置やキーボードからログインが許可されない認証情報が入力された場合は、図10のようなログインを拒否する画面が表示される。
【００１５】
また、極小非接触タグ装置を内蔵する装身具は、指輪を例に挙げたが、時計，衣服，靴であってもよい。しかし、操作者しか使えないローカーなどにこれらの装身具が管理されていることが不正使用を防止する上で望ましい。
【００１６】
［実施形態の効果］
極小非接触タグ装置を医療従事者が身につけるものにつけることにより、置忘れなどによる紛失などを回避する。ログイン時の自動認証が可能であり、作業途中で医療情報操作端末の前を離れる場合でもログアウト手順を手動で行う必要がなくなる。さらに、作業途中の医療情報参照をどこの端末でも再現できるようになり、医療従事者の業務負担を軽減できる。
【図面の簡単な説明】
【００１７】
【図１】医療情報端末とサーバの構成を示す図。
【図２】極小非接触タグ装置と非接触タグ読取装置と医療情報端末と医療情報サーバの関係とその内部構成を示す図。
【図３】医療情報操作端末における医療従事者のログイン処理フローを示す図。
【図４】医療情報サーバにおけるログインサービス処理フローを示す図。
【図５】医療情報端末とサーバにおける極小非接触タグ装置と非接触タグ読取装置の別構成例を示す図。
【図６】医療情報操作端末のログイン前画面の一例を示す図。
【図７】医療情報操作端末のログイン時のログイン認証情報が入力された画面の一例を示す図。
【図８】医療情報操作端末のログイン完了画面の一例を示す図。
【図９】医療情報操作端末の自動ログアウトを警告する画面の一例を示す図。
【図１０】医療情報操作端末のログイン時のログイン不許可画面の一例を示す図。
【符号の説明】
【００１８】
１０１…医療情報操作端末、１０２…非接触タグ読取装置、１０３…マウス、１０４…指輪、１０５…極小非接触タグ装置、１０６…院内ネットワーク、１０７…医療情報サーバ
【図１】
2005250609.tif 000003
【図２】
2005250609.tif 000004
【図３】
2005250609.tif 000005
【図４】
2005250609.tif 000006
【図５】
2005250609.tif 000007
【図６】
2005250609.tif 000008
【図７】
2005250609.tif 000009
【図８】
2005250609.tif 000010
【図９】
2005250609.tif 000011
【図１０】
2005250609.tif 000012